(57)【要約】【課題】カンファレンスの目的により適した表示画面を表示することを目的とする。【解決手段】医療情報管理システムであって、医療カンファレンスの目的に基づいて、医療カンファレンスに関する資料を表示する資料領域の配置のパターンを決定する決定手段と、決定手段により決定されたパターンの資料領域が設けられた表示画面を表示手段に表示するよう制御する表示制御手段とを有する。【選択図】図３
2018013868.tif 000002
【特許請求の範囲】
【請求項１】
医療カンファレンスの目的に基づいて、前記医療カンファレンスに関する資料を表示する資料領域の配置のパターンを決定する決定手段と、
前記決定手段により決定されたパターンの前記資料領域が設けられた表示画面を表示手段に表示するよう制御する表示制御手段と
を有することを特徴とする医療情報管理システム。
【請求項２】
前記決定手段は、前記カンファレンスの目的に基づいて定まる数の資料領域を含む前記パターンを決定することを特徴とする請求項１に記載の医療情報管理システム。
【請求項３】
前記決定手段は、前記カンファレンスの目的と、前記資料領域のパターンと、を対応付ける対応情報に基づいて、前記資料領域のパターンを決定することを特徴とする請求項１又は２に記載の医療情報管理システム。
【請求項４】
ユーザ操作に応じて、前記対応情報を設定する設定手段をさらに有することを特徴とする請求項３に記載の医療情報管理システム。
【請求項５】
前記表示制御手段は、前記資料領域に表示する資料の種別が設定されている場合に、設定に従い前記資料領域に前記資料を表示するよう制御することを特徴とする請求項１乃至４の何れか１項に記載の医療情報管理システム。
【請求項６】
前記表示制御手段は、種別が同一で、かつ付与された日時の異なる資料を隣接する前記資料領域に表示するよう制御することを特徴とする請求項５に記載の医療情報管理システム。
【請求項７】
前記表示制御手段は、種別が異なり、かつ付与された日時が対応する資料を隣接する前記資料領域に表示するよう制御することを特徴とする請求項５又は６に記載の医療情報管理システム。
【請求項８】
前記表示制御手段は、前記資料領域に表示する資料の種別が設定されていない場合には、初期状態として前記資料領域を空欄として表示するよう制御することを特徴とする請求項１乃至７の何れか１項に記載の医療情報管理システム。
【請求項９】
前記表示制御手段は、前記資料領域に対応付けて、前記資料領域に表示する資料に対して実行可能な処理の種別を表示するよう制御することを特徴とする請求項１乃至８の何れか１項に記載の医療情報管理システム。
【請求項１０】
医療情報管理システムが実行する医療情報管理方法であって、
医療カンファレンスの目的に基づいて、前記医療カンファレンスに関する資料を表示する資料領域の配置のパターンを決定する決定ステップと、
前記決定ステップにおいて決定されたパターンの前記資料領域が設けられた表示画面を表示手段に表示するよう制御する表示制御ステップと
を含むことを特徴とする医療情報管理方法。
【請求項１１】
コンピュータを、
医療カンファレンスの目的に基づいて、前記医療カンファレンスに関する資料を表示する資料領域の配置のパターンを決定する決定手段と、
前記決定手段により決定されたパターンの前記資料領域が設けられた表示画面を表示手段に表示するよう制御する表示制御手段と
して機能させるためのプログラム。
【発明の詳細な説明】
【技術分野】
【０００１】
本発明は、医療情報管理システム、医療情報管理方法及びプログラムに関する。
【背景技術】
【０００２】
従来、医療施設では複数の医療従事者によるカンファレンスが日常的に実施されている。カンファレンスを実施する目的には様々なものがあり、例えば、患者に対する診断や治療方針の策定、実施した医療行為に関する情報の共有、手術後の経過観察、患者の様態に問題が生じた際のその問題に対する意見交換や指摘等がある。医師は、議論の対象の患者に関する医療情報を適宜参照しながら、各カンファレンスの目的に沿った議論を進める。カンファレンス中に医師が参照する医療情報には、カルテ情報、医用画像データ、生理検査データ、検体検査データ、診断レポート等がある。
【０００３】
通常、医師はカンファレンスにおける議論の対象となる患者を事前に選定し、その患者に対してカンファレンスの目的に合った資料を事前に準備することが多い。カンファレンス中は、収集した任意の資料をディスプレイに表示し、議論がなされる。表示する資料を効率よく探索するために、収集した資料を一覧表示したり、収集した資料を任意の条件で絞り込み或いは並べ替える手段を利用したりすることが一般的である。カンファレンスに関し、特許文献１には、診療名や治療の進行状態等に基づいてカンファレスで使用する資料を自動的に選定し、資料を表示する画面上の位置を決定することが開示されている。
【先行技術文献】
【特許文献】
【０００４】
【特許文献１】特開２００９−１９３１５７号公報
【発明の概要】
【発明が解決しようとする課題】
【０００５】
しかしながら、患者や担当医の属性、治療の進行状態、カンファレンス実施の履歴情報等の組み合わせが同一であっても、カンファレンスの目的によってはカンファレンス中に参照すべき医療情報が異なる場合がある。また、カンファレンス当事者が、過去のカンファレンスの実績によらない進行を希望し、今までとは異なる資料を参照したい場合もある。
【０００６】
本発明はこのような問題点に鑑みなされたもので、カンファレンスの目的により適した表示画面を表示することを目的とする。
【課題を解決するための手段】
【０００７】
そこで、本発明は、医療情報管理システムであって、医療カンファレンスの目的に基づいて、前記医療カンファレンスに関する資料を表示する資料領域の配置のパターンを決定する決定手段と、前記決定手段により決定されたパターンの前記資料領域が設けられた表示画面を表示手段に表示するよう制御する表示制御手段とを有することを特徴とする。
【発明の効果】
【０００８】
本発明によれば、カンファレンスの目的により適した表示画面を表示することができる。
【図面の簡単な説明】
【０００９】
【図１】支援システムの全体構成を示す図である。
【図２】支援装置のハードウェア構成を示す図である。
【図３】支援装置のソフトウェア構成を示す図である。
【図４】検索関連テーブルのデータ構成の一例を示す図である。
【図５】カンファレンス画面の一例を示す図である。
【図６】メインエリアのレイアウトのパターン例である。
【図７】テーブルの一例を示す図である。
【図８】テーブルの一例を示す図である。
【図９】初期設定テーブルの一例を示す図である。
【図１０】カンファレンス資料作成処理を示すフローチャートである。
【図１１】第１の設定画面の一例を示す図である。
【図１２】第２の設定画面の一例を示す図である。
【図１３】医療辞書のデータ構成例を示す図である。
【図１４】初期設定テーブルの第１の作成処理を示すフローチャートである。
【図１５】初期設定テーブルの第２の作成処理を示すフローチャートである。
【図１６】複製処理の説明図である。
【発明を実施するための形態】
【００１０】
以下、本発明の実施形態について図面に基づいて説明する。
【００１１】
図１は、医療情報管理システムとしての支援システム１００の全体構成を示す図である。支援システム１００は、例えば病院等の医療機関内に構築され、医師による医療カンファレンス（以下、単にカンファレンスと称する）の支援を行う。支援システム１００は、医療情報管理装置としての支援装置１１０と、サーバ群１２０とを有している。支援装置１１０とサーバ群１２０とは、院内のローカルエリアネットワーク１３０を介して接続している。サーバ群１２０として、図１には、電子カルテサーバ装置１２１、医用画像サーバ装置１２２、読影レポートサーバ装置１２３、情報サーバ装置１２４が示されているが、サーバ群１２０に含まれるサーバの数及び種類は、実施形態に限定されるものではない。
【００１２】
電子カルテサーバ装置１２１には、患者の基礎情報やＳＯＡＰ情報（Ｓｕｂｊｅｃｔｉｖｅ、Ｏｂｊｅｃｔｉｖｅ、Ａｓｓｅｓｓｍｅｎｔ、Ｐｌａｎ）、投薬情報等を記録した電子カルテが保存されている。医用画像サーバ装置１２２には、例えばコンピュータ断層撮影装置、磁気共鳴診断装置、デジタルＸ線撮影装置、超音波診断装置等の撮影装置により取得された画像データ、デジタルカメラで撮影された外傷や手術前後の患部の写真画像等が保存されている。読影レポートサーバ装置１２３には、患者の主治医からの依頼を基に読影医がＣＴやＭＲＩ等の検査画像を診断した結果を電子レポートとしてまとめた読影レポートが保存されている。情報サーバ装置１２４には、例えば検体検査や病理検査、血液検査等の結果が保存されている。
【００１３】
カンファレンスとしては、病理カンファレンス、問題症例カンファレンス、簡易報告（レビュー）、経過観察、準備資料検討会、勉強会、横断カンファレンス等があり、各カンファレンスは、その目的が異なっている。病理カンファレンスは、病理検査結果をもとに患者を診断することを目的とする。問題症例カンファレンスは、カンファレンスにて結論を出すことのできなかった患者について再度検討することや、緊急で対応が必要な患者について対処内容を検討することを目的とする。簡易報告（レビュー）は、カンファレンスで議論した内容や、実施した手術の内容等を、カンファレンス不参加者に手短に報告することを目的とする。
【００１４】
経過観察は、症状の早期発見による早期治療と予後改善、治療に伴う副作用による合併症のためにＱＯＬ（Ｑｕａｌｉｔｙ  ｏｆ  Ｌｉｆｅ）が損なわれていないことを確認することを目的とする。準備資料検討会は、予定されているカンファレンスのために事前準備した資料の内容や、当日のカンファレンスで報告を予定している内容を、関係者間で事前に確認することを目的とする。勉強会は、医師や医学部生が研修目的で実際の患者データを用いてカンファレンスを実施することや、稀な症状や診断が難しい患者について経験豊富な医師が解説することを目的とする。横断カンファレンスは、複数の診療科の医師が参加し多眼的な視点で議論を行うことを目的とする。なお、本実施形態においては、循環器内科におけるカンファレンスを例に、支援システム１００について説明する。
【００１５】
図２は、支援装置１１０のハードウェア構成を示す図である。支援装置１１０は、ＣＰＵ２０１と、ＲＯＭ２０２と、ＲＡＭ２０３と、ＨＤＤ２０４と、表示部２０５と、入力部２０６と、ネットワークＩ／Ｆ部２０７とを有している。ＣＰＵ２０１は、ＲＯＭ２０２に記憶された制御プログラムを読み出して各種処理を実行する。ＲＡＭ２０３は、ＣＰＵ２０１の主メモリ、データ処理において利用される、いわゆるワークエリア等の一時記憶領域として用いられる。ＨＤＤ２０４は、各種データや各種プログラム等各種情報を記憶する。ＨＤＤ２０４は例えば、カンファレンスを実施するために必要な設定データや、カンファレンスで用いられる資料等を記憶する。
【００１６】
表示部２０５は、支援装置１１０の状態や処理内容等各種情報を表示する。表示部２０５は、ＬＥＤや液晶パネル等である。入力部２０６は、ユーザによる各種操作を受け付ける。入力部２０６は、マウスやデジタイザ等である。ネットワークＩ／Ｆ部２０７は、ネットワークを介してサーバ群１２０との通信処理を行う。なお、後述する支援装置１１０の機能や処理は、ＣＰＵ２０１がＲＯＭ２０２又はＨＤＤ２０４に格納されているプログラムを読み出し、このプログラムを実行することにより実現されるものである。
【００１７】
図３は、支援装置１１０のソフトウェア構成を示す図である。支援装置１１０は、指示受付部３０１と、条件抽出部３０２と、資料検索部３０３と、表示制御部３０４と、初期設定部３０５とを有している。指示受付部３０１は、ユーザから、カンファレンス資料の作成指示や、表示部２０５に表示された内容の変更指示等を受け付ける。条件抽出部３０２は、後述の検索テーブルを参照し、カンファレンスの目的、すなわちカンファレンス名に対応付けられている検索条件を抽出する。
【００１８】
資料検索部３０３は、ユーザからの指示に従い、条件抽出部３０２により抽出された検索条件に従い、検索条件に合致する患者、すなわち対象患者抽出し、抽出した対象患者を示す対象患者リストを作成する。資料検索部３０３は、さらにサーバ群１２０に格納されている、対象患者に関する資料を検索対象として、検索条件に合致する資料を検索する。また、資料検索部３０３は、定期的に実施されるカンファレンス等の開催予定日時が検索テーブルに設定されている場合には、検索タイミングになると、自動的に検索条件に合致する資料の検索を行う。なお、資料検索部３０３は、例えばＳＱＬ文等データベース操作を行うためのプログラミング言語を用いて検索を実行する。
【００１９】
表示制御部３０４は、表示部２０５への表示を制御する。表示制御部３０４は、具体的には、資料検索部３０３により得られた複数の資料を、カンファレンス画面として表示部２０５へ表示する。さらに、カンファレンス画面には、各種ボタンが表示されており、ボタンの選択に応じた表示内容の変更を行う。これにより、医師等の閲覧者は、容易に所望の資料を探索することができる。表示制御部３０４はまた、例えば、資料検索部３０３により得られた複数の資料を、リスト形式で一覧表示する。
【００２０】
表示制御部３０４はまた、ユーザから指定された条件に基づいて、資料の絞り込みを行う。絞り込みの条件としては、カテゴリ（大分類）、クラス（中分類）、資料日付、診療科、病棟、キーワード等がある。カテゴリ（大分類）では資料の種別（カルテ記事、サマリー、レポート、検体検査結果、投薬歴、ＰＡＣＳ画像、検査画像等）を指定する。クラス（中分類）では、カテゴリで指定した資料種別毎に設定された、より詳細な種別を指定する。例えば、カルテ記事の資料種別に設定された詳細な種別としては、カルテ記事をその用途により区別する種別があり、初診時記録、経過記録、経時記録等がある。
【００２１】
また、ＰＡＣＳ画像の資料種別に設定された詳細な種別としては、画像を撮影したＭｏｄａｌｉｔｙの種類や、撮影対象の部位がある。資料日付は、資料に付与された日時であり、本実施形態においては資料の作成日、画像撮影日、検査実施日のいずれかが指定される。資料日付の意味するものがいずれになるかは、カテゴリ、クラスに応じて予め決定されている。診療科では、資料作成元の診療科、画像撮影元の診療科、或いは検査を実施した診療科を指定する。診療科の意味するものがいずれになるかは、カテゴリ、クラスに応じて予め決定されている。病棟では、患者が入院している病棟を指定する。キーワードでは、資料に含まれるキーワードや、資料に付与されたメタデータに含まれるキーワード、その他資料に関するキーワードを指定する。
【００２２】
表示制御部３０４はまた、ユーザから指定された条件に基づいて、複数の資料の並び替えを行う。並び替えの条件は、絞り込み条件に関する上述の説明で示したカテゴリ（大分類）、クラス（中分類）、資料日付、診療科、病棟の各項目に対して、昇順・降順を指定できる。また、カンファレンスにおいて頻繁に並び替えのキーとして使われるモダリティ、部位、担当医に対しても、昇順・降順を指定できる。表示制御部３０４はまた、ユーザから指定されたキーワードに関連する資料の検索も行う。表示制御部３０４は、例えば電子カルテに記載された文章に指定されたキーワードが含まれる資料や、資料に付与されたメタデータに指定されたキーワードが含まれる資料をリストアップする。初期設定部３０５は、初期設定テーブルを作成し、これをＨＤＤ２０４等に格納する。
【００２３】
図４は、検索関連テーブル４００のデータ構成の一例を示す図である。なお、検索関連テーブル４００は、例えばＨＤＤ２０４等に格納されているものとする。図４に示すように、検索関連テーブル４００において、病理、問題症例、勉強会等のカンファレンス（カンファレンスの目的）毎に、カンファレンス画面の表示に係る初期設定の内容に関する情報として、検索条件及び検索タイミングが定められている。検索条件には、カンファレンス時に参照される可能性がある資料が検索されるように、資料の検索条件が設定されている。検索条件は、患者、カルテ記事、検査画像、検体検査結果及びレポートそれぞれに関する検索条件を含んでいる。
【００２４】
例えば、循環器内科の病理カンファレンスでは、カンファレンス実施日から３週間以内に循環器内科から病理検査のオーダーが出ている患者を対象に議論がなされる。これに対応し、患者の検索条件においては、「カンファレンス実施日から３週間以内に循環器内科から病理検査のオーダーが出ている患者」が設定されている。また、病理カンファレンスでは、電子カルテの検索条件として、「過去半年以内に循環器内科の医師が書いた、記事、入院時サマリー、退院時サマリー、経過サマリー、術前サマリー、手術記録」が設定されている。ＰＡＣＳ画像と検査画像の検索条件には、「過去１カ月以内に登録された循環器内科の病理オーダー画像」が設定されている。循環器内科の病理カンファレンスでは、検体検査結果を参照することはない。これに対応し、検体検査結果の検索条件は、設定されていない。検索条件が設定されていないことは、検体検査結果に関する検索を行わないことを意味する。
【００２５】
検索タイミングは、各カンファレンスに関する検索を行うタイミングを示す情報である。すなわち、検索タイミングは、支援装置１１０が、検索条件に合致する資料をサーバ群１２０から取得するタイミングである。循環器内科の病理カンファレンスの検索タイミングは、カンファレンス当日の６：３０に設定されている。これは、循環器内科の病理カンファレンスで使用される病理レポートが情報サーバ装置１２４に登録される日時がカンファレンス当日の６：００であることに対応するものである。なお、定期的に行われるカンファレンスについては、検索関連テーブル４００において、開催予定日時がカンファレンスに対応付けて記憶されているものとする。
【００２６】
一方、循環器内科の問題症例カンファレンスに関しては、過去に実施した他カンファレンスにて問題症例であると決定されたことが患者の検索条件に設定されている。また、問題症例カンファレンスで対象となる患者は、過去に議論して結論を出すことができなかった、または緊急で対応しなければならい様なケースである。このため、事前準備する資料は過去長い期間にわたって網羅されていることが望ましい。故に、問題症例のカンファレンスにおけるカルテ記事、ＰＡＣＳ画像と検査画像、検体検査結果、レポートに関する検索条件においては、その期間が過去３年以内と比較的長い期間に設定されている。
【００２７】
また、循環器内科の勉強会のカンファレンスにおいては、検索タイミングは、カンファレンス日の３日前以降の時間帯で、他カンファレンスによる検索処理負荷が比較的低い日時に設定されている。これは、勉強会では患者の診断を実際に行うわけではないため、取得した資料に不足があっても、大きな問題となることが少ないことに起因する。
【００２８】
図５は、表示部２０５に表示される、カンファレンス画面５００の一例を示す図である。実際の病理カンファレンスでは、カンファレンスの進行者は、資料検索部３０３により作成された対象患者リストから議論する患者を一人ずつ選択する。そして、カンファレンスは、選択した患者の議論が終了すると（又は、各患者に与えられた議論のための時間が終了すると）、次の患者の議論に移るというように進められる。図５に示すカンファレンス画面５００は、選択された１人の患者に対して議論を行う際に参照される画面である。
【００２９】
メインエリア５１０は、ユーザによって選択された資料が表示される領域である。ここで、ユーザは、カンファレンスの進行者や補助者等である。メインエリア５１０には、カルテ記事等、ユーザによって選択された、議論の対象となる資料が表示される。メインエリア５１０は、１つの資料を表示するための１つの資料領域であってもよいし、複数の資料を同時に（並べて）表示するための複数の資料領域を含む領域であってもよい。メインエリア５１０に同時に表示できる資料の数、及び資料の配置位置はレイアウトボタン５１１の機能により変更可能である。カンファレンス画面５００は、資料領域が設けられた表示画面の一例である。
【００３０】
図６は、メインエリア５１０のレイアウトのパターン例である。ユーザは、レイアウトボタン５１１の機能により、図６に示す、予め登録された複数のパターン６０１〜６０４の中から、メインエリア５１０における資料のレイアウトに用いるパターンを決定する。パターン６０１〜６０４は、それぞれパターンＡ、パターンＢ、パターンＣ、パターンＤのパターンＩＤで識別される。パターン６０１〜６０４と、それぞれのパターンＩＤは対応付けられてＨＤＤ２０４等の記憶部に予め格納されている。
【００３１】
パターンＡのパターン６０１は、資料領域枠が１つのレイアウトである。ここで、１つの資料領域枠は、１つの資料を表示する領域を示すものである。すなわち、パターン６０１においては、メインエリア５１０には、１つの資料が表示される。パターンＢのパターン６０２は、資料領域枠が２つのレイアウトである。パターンＣのパターン６０３は、資料領域枠が３つのレイアウトである。パターンＤのパターン６０４は、資料領域枠が４つのレイアウトである。このように、パターンは、資料領域の数及び各資料領域の配置位置を定めるものである。すなわち、パターンが決まると、表示対象の資料の数及び配置位置が決まる。
【００３２】
なお、レイアウトのパターンにおける資料領域枠の数及び各資料領域枠の配置位置は実施形態に限定されるものではない。例えば、２つの資料領域枠のパターンは、上下に２つの資料領域枠が配置されたものであってもよい。また、２つの資料領域枠のパターンとして、上下に２つの資料領域枠が配置されたパターンと、左右に２つの資料領域枠が配置されたパターンの２つのパターンが予め登録されていてもよい。
【００３３】
図５に戻り、一覧エリア５２０には、患者の資料のサムネイル画像が一覧表示される。図５に示す一覧エリア５２０には、サムネイル画像と共に、資料に関するメタデータが表示されている。メタデータには、資料の種別、資料作成日、担当医師等が含まれている。ユーザが表示したい資料のサムネイル画像を選択すると、メインエリア５１０にサムネイル画像に対応する患者の資料の画像が表示される。
【００３４】
ボタンエリア５３０には、並び替えボタン５３１、絞り込みボタン５３２、検索ボタン５３３の３つのボタンが表示されている。各ボタン５３１、５３２、５３３は、メインエリア５１０に表示される資料に対して実行可能な処理の種別を示すものである。いずれかのボタン５３１、５３２、５３３が選択されると、支援装置１１０は、選択されたボタンに対応する処理を実行し、実行結果に応じて、一覧エリア５２０の表示を切り替える。なお、ボタンエリア５３０に表示されるボタンに対応する機能の設定は、図７、図８に示すテーブルにおいて定義されている。
【００３５】
図７及び図８は、テーブルの一例を示す図である。図７、図８に示すテーブル７００、８００、８１０、８２０は、ＨＤＤ２０４等の記憶部に記憶されている。各テーブル７００、８００、８１０、８２０には、カンファレンスの目的毎、さらに資料の種類毎に、使用可能な編集項目が予め設定されている。
【００３６】
図７は、メインエリアテーブル７００のデータ構成例を示す図である。メインエリアテーブル７００は、メインエリア５１０のレイアウトの選択肢、資料領域毎に初期表示できる資料の種別、初期表示時の資料領域毎に処理条件の初期設定を割り当て可能な処理の種類を記憶している。また、メインエリアテーブル７００は、カンファレンス実施中に、メインエリア５１０のレイアウトをパターン６０１〜６０４において変更可能なことを示している。すなわち、ユーザが、カンファレンス実施中にレイアウトボタン５１１を選択すると、レイアウトの候補としてパターン６０１〜６０４が表示される。ユーザが、この４つの候補の中から希望のパターンを選択すると、表示制御部３０４は、選択された項目に従った表示を行う。カンファレンス実施中にメインエリア５１０のレイアウトを変更できることで、議論の目的に応じた画面表示を実現できる。
【００３７】
例えば、手術後のカンファレンスにて患部の比較を行う際には、同一部位に関して手術前後の画像を並べて表示し比較可能なレイアウトが望ましく、パターン６０２が最適である。一方、一つの画像のみについて議論がなされている際には、１画面にしてその画像の表示に使える領域を大きくすることが望ましく、パターン６０１が最適である。また、カルテ記事に含まれる文字はフォントが小さいため、パターン６０４ではカルテ記事が表示される領域が小さく内容を把握しづらいなど、参照する資料の内容によって最適な画面サイズがある。そのため、参照している資料の種別に応じて、議論の途中で適宜画面レイアウトを変更できると使い勝手が良くなる。また、定例的なカンファレンスにおいては、資料種別毎に定位置を決めておくことで、閲覧する側の資料の認識に関する負荷を低減できる効果がある。
【００３８】
また、図７におけるメインエリアテーブル７００は、カンファレンス画面５００が初期表示された際の、メインエリア５１０のレイアウトを、パターン６０１〜６０４から選択可能であることも示している。図７の例では、メインエリアテーブル７００は、カンファレンス画面５００が初期表示された際に、カルテ記事、ＰＡＣＳ画像、サマリー、レポート、検査画像のいずれかの資料を必要に応じて資料領域毎に初期表示できることを示す。また、メインエリアテーブル７００は、カンファレンス画面５００の初期表示時のメインエリア５１０の資料領域毎に、並び替え、絞り込み、検索の３つの処理の処理条件の初期設定を必要に応じて割り当て可能であることを示している。
【００３９】
図８（ａ）の並び替えテーブル８００は、並び替えの処理を実行する際に指定可能な編集項目を定義する。同様に、図８（ｂ）の絞り込みテーブル８１０及び図８（ｃ）の検索テーブル８２０は、それぞれ、絞り込み及び検索の処理を実行する際に指定可能な項目を定義する。また、各テーブル８００、８１０、８２０は、カンファレンス画面５００の初期表示時のメインエリア５１０の各資料領域に割り当て可能な初期設定時の処理条件として、初期設定可能な項目を定義する。
【００４０】
図８（ａ）に示す並び替えテーブル８００は、カンファレンスの目的において、並べ替えの処理で設定可能な条件を記憶している。ユーザが、カンファレンス実施中に並び替えボタン５３１を選択すると、表示制御部３０４は、並び替えテーブル８００を参照し、並び替えを実施する際のキーの候補として、カテゴり、クラス、日付、部門及び担当医を表示する。表示制御部３０４は、同様に、並び替えを実施する際の順序の候補として、昇順及び降順の何れか一方を表示する。ユーザが、キー及び順序について、其々の候補の中から希望の条件を選択すると、表示制御部３０４は、選択された条件に従った表示を行う。
【００４１】
また、並び替えテーブル８００の項目は、メインエリア５１０の初期表示時の資料領域毎に割り当てられた並び替えの処理に対して、処理条件の初期設定として設定可能な項目でもある。例えば、カンファレンス画面５００の初期表示時において、メインエリア５１０の資料領域１に並び替えの処理条件を割り当てる場合には、キーの初期設定としてカテゴリ、クラス、 日付、部門及び担当医のいずれか１つを選択可能である。同様に、順序の初期設定としては、昇順及び降順のいずれかを選択可能である。
【００４２】
図８（ｂ）に示す絞り込みテーブル８１０は、カンファレンスの目的において、絞り込みの処理で設定可能な条件を記憶している。ユーザがカンファレンス実施中に絞り込みボタン５３２を選択すると、表示制御部３０４は、絞り込みテーブル８１０を参照し、絞り込みを実施する際の条件の候補として、絞り込みテーブル８１０に記憶されている内容を表示する。表示制御部３０４は、具体的には、絞り込み条件におけるカテゴリの項目の候補として、全て表示、カルテ記事、ＰＡＣＳ画像、サマリー、レポートおよび検査画像を表示する。
【００４３】
カテゴリの項目として例えばカルテ記事が選択された場合には、表示制御部３０４は、絞り込み条件におけるクラスの項目の候補として、全て表示、初診時記録及び手術記録を表示する。クラスの項目として例えば初診時記録が指定された場合には、絞り込み条件における資料日付の項目として、未指定、任意の日付、任意の期間が表示される。なお、任意の日付または任意の期間が選択された場合は、表示制御部３０４は、別途ユーザが適切な入力を指定するためのＵＩを表示する。絞り込み条件における診療科、病棟、キーワードに関しても、カテゴリ、クラス、資料日付と同様のフローで候補が表示される。表示制御部３０４は、選択された条件に従った表示を行う。
【００４４】
また、絞り込みテーブル８１０の項目は、カンファレンス画面５００の初期表示時の資料領域に初期設定可能な絞り込みボタン５３２の機能の処理条件の項目でもある。例えば、カンファレンス画面５００の初期表示時において、資料領域１に絞り込みの処理条件を割り当てる場合には、カテゴリの項目として、全て表示、カルテ記事、ＰＡＣＳ画像、サマリー、レポート及び日検査画像のいずれかを選択可能である。
【００４５】
図８（ｃ）に示す検索テーブル８２０は、カンファレンスの目的において、検索の処理で設定可能な条件を記憶している。ユーザがカンファレンス実施中に検索ボタン５３３を選択すると、表示制御部３０４は、検索を実施する際のキーワードの候補として、最新の疾患名を表示する。なお、最新の疾患名とは、例えば、医師が電子カルテの病名入力欄に入力した直近の情報である。ユーザは、表示された疾患名を検索条件として選択してもよいし、任意のキーワードを検索条件として指定してもよい。任意のキーワードとしては、当該カンファレンスで検索されることが多いキーワードが指定される。例えば、循環器内科の病理カンファレンスにて利用頻度が高い検索ワードが予め分かっている際には、それを任意のキーワードとして指定する。表示制御部３０４は、指定された条件に従った表示を行う。
【００４６】
また、検索テーブル８２０の項目は、カンファレンス画面５００の初期表示時の資料領域毎に割り当てられた検索の探索方法に対して、処理条件の初期設定として設定可能な項目でもある。例えば、カンファレンス画面５００の初期表示時の初期表示時において、資料領域１に検索の処理条件を割り当てる際には、最新の疾患名及び任意のキーワードのいずれかを選択可能である。
【００４７】
図７及び図８に示したテーブル７００、８００、８１０、８２０により、カンファレンス実施中またはカンファレンスの設定作業中において、カンファレンスの目的によって利用する可能性のある選択肢のみをユーザに提示することができる。したがって、ユーザは、所望の設定項目を容易に見つけることができる。
【００４８】
次に、カンファレンス画面５００の初期設定について説明する。カンファレンス画面５００の初期状態については、初期設定テーブルに設定されている。図９は、初期設定テーブル９００の一例を示す図である。初期設定テーブル９００は、例えばＨＤＤ２０４等に格納されている。初期設定テーブル９００は、カンファレンスの目的毎に、メインエリア５１０の初期レイアウト、資料領域毎の初期表示資料の種別、資料領域毎に割り当てる探索方法の初期設定を定めている。また、初期設定テーブル９００は、資料領域毎の領域選択時の処理を定めている。
【００４９】
例えば、カンファレンスの目的によっては、議論のために最初に表示する資料及び該資料を画面上のどの位置に表示するかが決まっている場合がある。また、カンファレンスの目的に応じて、ボタンエリア５３０の複数のボタンのうち頻繁に使用するボタンや、各ボタンの機能である資料探索に関する処理条件に関して、頻繁に利用する編集項目が予め分かっている場合がある。このような頻繁に利用するレイアウト、資料、編集項目などが初期設定テーブル９００に予め定義されている。
【００５０】
初期設定テーブル９００の「レイアウト」行には、カンファレンス画面５００の表示開始時のメインエリア５１０のレイアウトのパターンが設定されている。例えば、循環器内科における病理カンファレンスでは、２つの資料を表示して議論を実施するため、レイアウトとしてパターン６０２（パターンＢ）が設定されている。
【００５１】
初期設定テーブル９００の「資料領域毎の初期表示」行には、「レイアウト」行で定義されたカンファレンス画面５００の表示開始時の資料領域毎に、初期表示される資料の種別が定義されている。例えば、循環器内科における病理カンファレンスでは、パターン６０２の資料領域１にカルテ記事、資料領域２にはなしと設定されている。これは該カンファレンスにおいては、資料領域１に最新のカルテ記事を表示し、資料領域２には病理レポートを表示した状態で議論を行うための設定である。資料領域２に表示する病理レポートについてはカルテ記事の内容に応じて表示する病理レポートが決まるため、資料領域２の初期表示の資料としてはなしとなっている。すなわち、資料領域２は、空欄として表示される。
【００５２】
なお、各資料領域に初期表示される物理ファイルは、例えば、初期設定テーブル９００の「資料領域毎の初期表示」行で定義された資料種別の最新の資料などとして運用する。初期設定テーブル９００の「処理条件」行には、「レイアウト」行で定義されたカンファレンス画面５００の表示開始時の資料領域毎に、メインエリアテーブル７００で定義された処理毎の初期条件が定義されている。資料領域毎に、メインエリアテーブル７００で定義された処理の全てに対して初期条件を設定してもよいし、一部の処理に対してのみ初期条件を設定してもよい。例えば、循環器内科における病理カンファレンスでは、領域１に対して、絞り込み条件、並び替え条件、検索条件が設定されている。
【００５３】
絞り込み条件としては、「カテゴリ」：「カルテ記事」、「クラス」：「全て表示」、「診療科」：「循環器内科」が定義されている。これは初期表示された議論対象の患者に関する最新のカルテ記事だけでは状況が把握できない場合に、循環器内科の他のカルテ記事を参照することがあるための初期設定である。並び替え条件としては、「キー」：「資料日付」、「順序」「昇順」が定義されている。これは、初期表示されたカルテ記事とは別のカルテ記事を探索する際に、時系列的に直近のカルテ記事から必要な資料を探すための設定である。
【００５４】
検索条件としては、「キーワード」：「最新の疾患名」が定義されている。これは、初期表示される時系列的に最新のカルテ記事に記載されている疾患名をキーワードとして、他の資料を検索する可能性があることに対応した設定である。また、資料領域２に対して絞り込み条件のみが設定されている。資料領域２には絞り込み条件として、「カテゴリ」：「レポート」、「クラス」：「病理レポート」、「診療科」：「循環器内科」が定義されている。これは、前述のように、カンファレンス画面５００の開始時には資料領域２に資料は表示されていないが、資料領域１に表示されたカルテ記事の内容を基に、適切な病理レポートを探索して資料領域２に表示する操作に対応する。つまり、資料領域２に表示する病理レポートを一覧エリア５２０から絞り込むための初期設定内容が、初期設定テーブル９００の「処理条件」行の資料領域２の欄に定義されている。
【００５５】
初期設定テーブル９００の「処理条件」行の初期設定が定義された資料領域を選択した状態で、ボタンエリア５３０の各ボタンから探索のための機能を呼び出した際には、初期設定テーブル９００に記載の条件が予めセットされる。予めセットされた条件から一部の条件項目を修正、または追加した上で探索を実行してもよい。
【００５６】
初期設定テーブル９００の「領域指定時の即時処理」行には、カンファレンス画面５００の開始時に表示された各資料領域を選択した際に、特定の処理を自動で実行する際の設定が定義されている。具体的には、選択された資料領域に初期条件が設定された１以上の処理のうち、いずれの処理を実行するかが定義されている。例えば、循環器内科における病理カンファレンスでは、資料領域１に対しては即時処理「なし」、資料領域２に対しては即時処理として「絞り込み」が定義されている。つまり、資料領域１を選択（例えば、領域１をマウスでクリック）した場合は、処理を実行するためにはボタンエリア５３０から利用したい機能を有するボタンを選択する必要がある。一方、資料領域２を選択（例えば、資料領域２をクリック）した場合は、ボタンエリア５３０からボタンを選択することなく、絞り込みボタンの機能が初期設定テーブル９００の「処理条件」行に定義された条件で実行される。
【００５７】
なお、初期設定テーブル９００は、カンファレンスの目的と、資料領域のパターンとを対応付ける対応情報の一例である。さらに、本実施形態においては、初期設定テーブル９００において、資料領域に表示する資料の種別が設定されている。初期設定テーブル９００は、ユーザ操作に応じて設定される。
【００５８】
図１０は、支援装置１１０による、カンファレンス資料作成処理を示すフローチャートである。Ｓ１０００において、支援装置１１０の条件抽出部３０２は、指示受付部３０１がカンファレンス資料の作成指示を受け付けたか否かを確認する。作成指示は、作成対象のカンファレンスの種類、すなわちカンファレンス名を含んでいる。ＣＰＵ２０１は、指示受付部３０１が作成指示を受け付けた場合には（Ｓ１０００でＹｅｓ）、処理をＳ１００１へ進める。ＣＰＵ２０１は、作成指示を受け付けなかった場合には（Ｓ１０００でＮｏ）、処理をＳ１００２へ進める。Ｓ１００１において、条件抽出部３０２は、検索関連テーブル４００（図４）を参照し、作成指示に示されるカンファレンス名に対応付けられている検索条件を抽出する。ＣＰＵ２０１は、その後処理をＳ１００４へ進める。
【００５９】
また、Ｓ１００２においては、条件抽出部３０２は、検索関連テーブル４００を参照し、処理実行時がいずれかの検索タイミングに合致するか否かを確認する。なお、いずれかの検索タイミングとは、検索関連テーブル４００の「検索タイミング」行に記載の各検索タイミングを指す。ＣＰＵ２０１は、検索タイミングに合致する場合には（Ｓ１００２でＹｅｓ）、処理をＳ１００３へ進める。ＣＰＵ２０１は、検索タイミングに合致しない場合には（Ｓ１００２でＮｏ）、処理をＳ１０００へ進める。Ｓ１００３において、合致すると判断した検索タイミングに対応する検索条件を抽出する。ＣＰＵ２０１は、その後処理をＳ１００４へ進める。
【００６０】
Ｓ１００４において、資料検索部３０３は、Ｓ１００１又はＳ１００３において抽出された検索条件のうち患者に対する検索条件に従い、対象患者を抽出する。そして、資料検索部３０３は、抽出した対象患者を示す対象患者リストを作成する。次に、Ｓ１００５において、資料検索部３０３は、対象患者リストに示される対象患者を対象として、検索条件に合致する資料を検索する。ここで、検索条件は、実行予定のカンファレンスの目的に応じて定まるものであり、いずれも診療の段階などに依存しない。つまり、患者や担当医の属性、治療の進行状態（初診時、入院前、手術前、手術後等）等の組み合わせが同一であっても、カンファレンスの目的によってはカンファレンスで必要となる医療情報が異なる。
【００６１】
次に、Ｓ１００６において、表示制御部３０４は、Ｓ１００５において検索された資料を含むカンファレンス画面５００を作成する。このとき、表示制御部３０４は、メインエリアテーブル７００を参照し、カンファレンス画面５００のボタンエリア５３０に、編集項目に対応するボタンを表示する。さらに、表示制御部３０４は、初期設定テーブル９００のレイアウトに示されるパターンを特定してメインエリア５１０における資料領域の数及び配置位置を決定する。続いて、表示制御部３０４は、初期設定テーブル９００の初期設定内容に従い、適切な資料を各資料領域に配置、各資料領域に初期処理条件を割り当てる。
【００６２】
次に、Ｓ１００７において、表示制御部３０４は、指示受付部３０１がカンファレンス画面５００の表示指示を受け付けるまで待機する。ＣＰＵ２０１は、指示受付部３０１が表示指示を受け付けると（Ｓ１００７でＹｅｓ）、処理をＳ１００８へ進める。Ｓ１００８において、表示制御部３０４は、Ｓ１００６において作成されたカンファレンス画面５００を表示する。なお、このとき、表示制御部３０４は、初期設定テーブル９００を参照し、初期状態のカンファレンス画面５００を表示する。
【００６３】
次に、Ｓ１００９において、表示制御部３０４は、指示受付部３０１がカンファレンス画面５００に対する変更指示を受け付けたか否かを確認する。なお、変更指示とは、メインエリア５１０のレイアウトの変更に係る指示、各資料領域に表示する資料の変更に係る指示、一覧エリア５２０に表示する内容の変更に係る指示などである。ＣＰＵ２０１は、指示受付部３０１が変更指示を受け付けた場合には（Ｓ１００９でＹｅｓ）、処理をＳ１０１０へ進める。ＣＰＵ２０１は、変更指示を受け付けなかった場合には（Ｓ１００９でＮｏ）、処理をＳ１０１１へ進める。
【００６４】
Ｓ１０１０において、表示制御部３０４は、変更指示に従い表示を更新する。例えば、ユーザにより、カンファレンス画面５００の並び替えボタン５３１が選択されると、指示受付部３０１が並び替えに関する変更指示を受け付ける。そして、表示制御部３０４は、並び替えに関する変更指示に従い、絞り込みテーブル８１０に設定されている並び替え条件を抽出し、抽出した複数の並び替え条件をカンファレンス画面５００上に表示する。なお、カンファレンス画面５００で初期表示された資料領域が選択されている場合は、表示制御部３０４は、初期設定テーブル９００に定義されている並び替え条件を抽出し初期条件として自動でセットする。そして、表示された並び替え条件の中からユーザにより並び替え条件が指定されると、表示制御部３０４は、指示された並び替え条件に従い、医療情報としての資料を並び替えて表示する。
【００６５】
次に、Ｓ１０１１において、表示制御部３０４は、指示受付部３０１がカンファレンス画面５００の表示の終了指示を受け付けたか否かを確認する。ＣＰＵ２０１は、指示受付部３０１が終了指示を受け付けた場合には（Ｓ１０１１でＹｅｓ）、カンファレンス資料作成処理を終了する。ＣＰＵ２０１は、終了指示を受け付けなかった場合には（Ｓ１０１１でＮｏ）、処理をＳ１００９へ進める。
【００６６】
支援装置１１０は、カンファレンス資料作成処理により、カンファレンスの目的に応じてカンファレンスの対象患者及び患者に関する資料（医療情報）を自動で収集する。このため、カンファレンス準備に対する医師の負担を軽減することができる。また、カンファレンスの目的に応じて資料表示に関する設定を決定することで、カンファレンス実施中に所望の資料を効率よく表示することができ、カンファレンスの進行を円滑にすることができる。
【００６７】
次に、支援装置１１０が、初期設定テーブル９００（図９）を作成する処理について説明する。図１１は、第１の設定画面１１００の一例を示す図である。第１の設定画面１１００は、初期設定テーブル９００の「レイアウト」行と、「資料領域毎の初期表示」行に関する設定を行うための表示画面であり、表示制御部３０４により表示部２０５に表示される。図１２は、第２の設定画面１２００の一例を示す図である。第２の設定画面１２００は、初期設定テーブル９００の「処理条件」行と、「領域指定時の即時処理」行に関し、絞り込みの初期設定を定義するための表示画面であり、表示制御部３０４により表示部２０５に表示される。
【００６８】
図１１（ａ）は第１の設定画面１１００初期表示例を示す。テーブル領域１１０１には、資料選択テーブルが表示されている。資料選択テーブルは、各レイアウトに含まれる資料領域を識別する資料領域Ｎｏ．と、資料種別を選択するためのテーブルである。資料選択テーブルの１列目には、資料種別が列挙されている。表示制御部３０４は、メインエリアテーブル７００（図７）の「資料領域毎の初期表示」列において定義されている資料種別を、資料選択テーブルに列挙するものとする。
【００６９】
ユーザは、テーブル領域１１０１の資料選択テーブルにおいて、カンファレンス画面５００の開始時にメインエリア５１０に初期表示したい資料の種別を選択し、かつ該資料を初期表示したい資料領域の位置を指定する。本実施形態においては、テーブル領域１１０１における選択形式は一般的なラジオボタンとし、すべての資料領域の初期選択状態として「初期表示指定なし」が選択されているものとする。
【００７０】
レイアウト候補領域１１０２には、ユーザが指定可能なレイアウトのパターンが列挙されている。表示制御部３０４は、メインエリアテーブル７００の「レイアウト」列で定義されているパターンをレイアウト候補領域１１０２に表示する。ユーザは、レイアウト候補領域１１０２において、所望のレイアウトを選択する。なお、レイアウト候補領域１１０２で列挙されたパターンに含まれる資料領域Ｎｏ．の最大値と、テーブル領域１１０１に表示された資料領域Ｎｏ．の最大値は一致する。また、レイアウト候補領域１１０２では、テーブル領域１１０１での指定内容及び初期設定テーブル９００の作成対象であるカンファレンスの目的に応じて、ユーザが選択する可能性の高いレイアウトが強調表示される。
【００７１】
選択レイアウト領域１１０３には、ユーザがテーブル領域１１０１で選択したレイアウトが表示される。例えば、図１１（ａ）の初期表示の状態において、レイアウト候補領域１１０２に列挙されたパターン６０１のレイアウトをユーザが選択したとする。この場合、図１１（ｂ）に示すように、選択レイアウト領域１１０３には、パターン６０１が表示される。
【００７２】
図１１（ａ）に示す初期表示の状態の第１の設定画面１１００を表示した時点において、支援装置１１０は、初期設定の対象となるカンファレンスの目的と、当該カンファレンスで議論対象となる疾患名を認識している。これは、第１の設定画面１１００に遷移する直前に、ユーザが指示受付部３０１を通して指定することによる。また他の例としては、支援装置１１０は、各カンファレンスの目的及び疾患名を、カンファレンスに関する設定情報として、ＲＯＭ２０２等に格納しておいてもよい。その場合、支援装置１１０は、第１の設定画面１１００を表示したときに、格納された情報を参照することで認識する。
【００７３】
なお、カンファレンスの目的及び疾患名は、図１１及び図１２に示す設定画面において、ユーザによる選択操作を支援するために使用されるものであり、必ずしも必要なものではない。支援装置１１０は、カンファレンスの目的と疾患名の両方を認識した場合、カンファレンスの目的のみを認識した場合、カンファレンスの目的を認識できなかった場合の其々に応じた処理を設定画面にて実施する。
【００７４】
図１１（ｃ）は、初期設定の設定対象であるカンファレンスの目的をユーザが指定しなかった、又は支援装置１１０が検出できなかった際の、レイアウト候補領域１１０２の表示を説明するための図である。図１１（ｃ）は、テーブル領域１１０１にて資料領域１にＰＡＣＳ画像を初期表示するという指定をユーザが行った場合の画面例である。この場合、表示制御部３０４がレイアウトパターンの候補として、図６に示すパターン６０１を強調表示する。ここで強調表示されるパターンは、「初期表示指定なし」の項目が選択されていない資料領域Ｎｏ．のうち、最も値が大きい資料領域Ｎｏ．の数だけ、資料領域を有するパターンである。
【００７５】
さらに、図１１（ｃ）の表示状態から、資料領域Ｎｏ．「３」に対してカルテ記事を初期表示するようにテーブル領域１１０１にて設定した場合、レイアウト候補領域１１０２は、パターン６０３のみが強調表示された状態となる。「初期表示指定なし」の項目が選択されていない資料領域Ｎｏ．が「１」と「３」であり、その２つの資料領域Ｎｏ．のうち最も大きな資料領域Ｎｏ．は「３」であり、資料領域の数が３つであるレイアウトはパターン６０３のみであるからである。
【００７６】
図１１（ｄ）は、初期設定の対象であるカンファレンスの目的をユーザにより指定された、又は支援装置１１０が検出した際の、レイアウト候補領域１１０２の表示を説明するための図である。図１１（ｄ）は、カンファレンスの目的が「経過観察」であり、テーブル領域１１０１にて、資料領域１にＰＡＣＳ画像を初期表示するという指定をユーザが行った場合の画面例である。この場合、表示制御部３０４は、レイアウトパターンの候補として、図６におけるパターン６０１とパターン６０２の２つを強調表示する。
【００７７】
このように、パターン６０１だけなくパターン６０２も強調表示する。これは、画面に表示されたＰＡＣＳ画像を経過観察という目的で参照する際は、同じＰＡＣＳ画像に関して、同じ部位で時系列の異なる資料（種別が同一で、かつ付与された日時が対応する資料）を比較対象として参照することが想定されるからである。種別が同一で、かつ付与された日時が対応する資料を隣接する資料領域に並べて同時に表示することで比較作業を効率よく実施できるため、パターン６０２もユーザが望むレイアウトといえる。パターン６０２を強調表示することで、レイアウト候補領域１１０２に列挙されている複数のレイアウトパターンの中からユーザが当該パターンのレイアウトを見つけ易くなる。なお、どのレイアウトの候補が強調表示されるかは、後述の図１３に記載の医療辞書に定義されており、カンファレンスの目的とカンファレンスが取り扱う疾患名によって決まる。強調表示する候補の決定処理については図１３及び図１４を参照しつつ後述する。
【００７８】
図１１（ｄ）の表示状態においてユーザが強調表示されたパターン６０２をレイアウトとして選択した場合、後続操作として、次の２つのケースが考えられる。１つ目のケースは、資料領域２に初期表示する資料の種別として、ＰＡＣＳ画像などの具体的な資料種別が指定されるケースである。２つ目のケースは、後続操作は何もせずに資料領域２には初期表示指定をしない、つまりテーブル領域１１０１の１行目を選択したままとするケースである。
【００７９】
前述の２つ目のケースでは、最終的には、初期レイアウトがパターン６０２の２画面表示であり、資料領域１に直近に撮影されたＰＡＣＳ画像が表示され、資料領域２には何も表示されない、という設定になる。しかし、２つの資料領域を含むパターン６０２が選択された場合には、カンファレンス実施中に資料領域２にも何かしかの資料が表示される可能性が高い。また、当該カンファレンスの目的に応じて、カンファレンス実施中において資料領域２に表示したい資料の種別は、決まっていることが多い。
【００８０】
ユーザは、カンファレンス画面５００（図５）の一覧エリア５２０から資料領域２に表示する資料を探索することになる。この際、ボタンエリア５３０に配置された探索を実施するためのボタンの機能を利用することが想定される。ボタンエリア５３０に配置された探索を実施する際には、所望の資料を検出するために最適な処理条件を指定することになる。そのため、初期設定テーブル９００の「処理条件」行のように、所望の資料を探索するために最適な処理条件を初期設定として予め資料領域２に定義しておくことが望ましい。
【００８１】
図１２に示す第２の設定画面１２００においては、ユーザは、カテゴリ、クラス、資料日付、診療科、病棟及びキーワードについて、初期設定をプルダウン形式で選択することができる。第２の設定画面１２００においては、下矢印型の領域を選択するとプルダウンのリストとして選択項目が表示され、ユーザがその中から所望の選択肢を指定する。表示される選択肢は、当該カンファレンスに関するテーブルで定義されている項目である。
【００８２】
また、資料領域２がカンファレンス中に選択された場合、第２の設定画面１２００において指定された絞り込みの初期条件で絞り込み探索を即時実行するかどうかを指定できるオンオフのチェックボックスが用意されている。なお、図１２は、図１１（ｄ）の状態において、ユーザが後続操作として前述の２つ目のケースを行い、図１１（ｄ）での設定作業を完了した場面を想定した例を示す図である。また、図１２は、画面が表示された直後の状態であり、ユーザによる操作がまだ何もなされていない状態の画面例である。
【００８３】
図１２の例では、カテゴリの初期設定として、「ＰＡＣＳ画像」が予め設定されている。つまり、ユーザが第２の設定画面１２００でカテゴリに関する初期条件を設定することなく、第２の設定画面１２００が表示された段階で支援装置１１０が自動でカテゴリの初期条件として「ＰＡＣＳ画像」を選択した状態となっている。これは、前述のように、カンファレンスの目的が経過観察であるため、資料領域２に表示する資料は、資料領域１に表示するＰＡＣＳ画像の比較対象となることが予想されるからである。
【００８４】
直近のＰＡＣＳ画像に映っている事象の経過をみるためには、時系列的には異なるが同じ資料種別の資料であることが多い。なお、どの条件がプリセットされるのかは、後述の図１３に記載の医療辞書に定義されており、カンファレンスの目的とカンファレンスが取り扱う疾患名によって決まる。プリセットされる条件の決定処理については図１４、図１５を用いて後述する。なお、ここでは例として絞り込みに関する処理条件の初期設定を行う画面例を示したが、並び替え・検索に関する処理条件の初期設定を行う画面も同様の形式で用意されている。
【００８５】
図１３は、医療辞書１３００のデータ構成例を示す図である。初期設定部３０５は、前述の通り、初期設定テーブル９００を作成、設定する際に、医療辞書１３００を参照する。医療辞書１３００は、カンファレンスの目的と疾患名の組み合わせ毎に、レイアウト候補領域１１０２において強調表示するパターンの決定条件と、資料領域の初期処理条件を指定する設定画面にてプリセットする内容を定義する情報である。カンファレンスの目的としては、経過観察、転移検索、確定診断、情報共有、治療方針策定等、特定の診療科や特定の医師に依存しない一般性のある項目が列挙される。疾患名には、疾患名が指定されないことを示す「−」と、固有の疾患名が列挙される。
【００８６】
「レイアウトの強調表示の対象」には、強調表示されるレイアウトの条件が記載される。「並び替え条件」には、並び替えの処理方法に関する初期処理条件を指定する設定画面において、設定項目毎に表示される選択肢の中から、予め選択状態にしておく選択肢を定義する。「絞り込み条件」には、絞り込みの処理方法に関する初期処理条件を指定する設定画面において、設定項目毎に表示される選択肢の中から、予め選択状態にしておく選択肢を定義する。「検索条件」には、検索の探索方法に関する初期処理条件を指定する設定画面において、設定項目毎に表示される選択肢の中から、予め選択状態にしておく選択肢を定義する。
【００８７】
医療辞書１３００の内容について、具体的な内容について幾つか説明する。まず、カンファレンスの目的も、カンファレンスの議論の対象となる疾患名も未指定のケースに関して、医療辞書１３００の記載内容について説明する。この場合における、レイアウト候補領域１１０２に列挙されたレイアウトのうち、強調表示されるレイアウトの条件は、次の１つである。即ち、ユーザがテーブル領域１１０１にて「初期表示指定なし」以外の項目を選択した資料領域Ｎｏ．のうち、最大の資料領域Ｎｏ．の数と同数の資料領域を有するレイアウトである。なお、この条件を、強調表示されるレイアウトの対象についての「基本条件」と称することとする。また、この場合における、並び替え条件、絞り込み条件、検索条件の初期設定はなく、各処理方法の設定画面に遷移した際には、例えば、全ての選択項目について選択肢が未指定の状態となる。
【００８８】
別の例として、カンファレンスの目的が「経過観察」で、疾患名が指定されていない「−」のケースに関して、医療辞書１３００の記載内容について説明する。この場合では、レイアウト候補領域１１０２に列挙されたレイアウトのうち、強調表示されるレイアウトの条件は２つある。１つ目の条件は、前述の基本条件である。２つ目の条件は、ユーザがテーブル領域１１０１にて選択した「初期表示指定なし」以外の資料種別毎に、比較対象も表示可能な資料領域を有するレイアウトである。これは、経過観察を目的としたカンファレンスにおいては、ＣＴ画像に映った腫瘍の大きさの変化を確認するなど、表示した資料に含まれる内容の時系列的観点からの推移を参照する事が多いからである。
【００８９】
例えば、資料領域１を資料種別としてＰＡＣＳ画像を選択し、それ以外の資料領域には「初期表示指定なし」が指定されていた場合においては、パターン６０２のレイアウトも強調表示の対象となる。一方、例えば、領域１の資料種別としてＰＡＣＳ画像を選択し、領域３の資料種別としてレポートを選択し、それ以外の領域には「初期表示指定なし」が指定された場合では、パターン６０４のレイアウトも強調表示の対象となる。
【００９０】
並び替え条件としては、すべての資料領域に対して、キー「日付」、順序「昇順」が選択項目としてプリセットされた状態となる。また、即時処理の有効・無効の選択項目に対して、有効がプリセットされた状態となる。これは、カンファレンスの目的が経過観察であるため、表示する資料を探索する際には時系列に並べ替えておくことが便利であり、その様なユースケースで使用する頻度が多いため即時実行することが有効であるためである。
【００９１】
絞り込み条件としては、すべての領域に対して、カテゴリの選択項目については各領域に初期表示する資料と同じ資料種別がプリセットされた状態となる。これは、テーブル領域１１０１で特定の資料種別が指定された場合は、初期表示された資料がユーザの望むものでなかったとしても、別の日付又は別の部位に関する該資料種別の資料を参照する可能性が高いからである。なお、初期表示される資料種別が「初期表示指定なし」の資料領域において、比較対象が存在する領域については、比較対象である資料領域に初期表示される資料と同じ資料種別となる。検索条件としては、特定の疾患名が未指定であり、検索されるキーワードはカンファレンスの状況によりけりのため、すべての資料領域について未指定の状態となる。
【００９２】
別の例として、カンファレンスの目的が「経過観察」で、疾患名が「糖尿病」のケースに関して、医療辞書１３００の記載内容について説明する。この場合では、レイアウト候補領域１１０２に列挙されたレイアウトのうち、強調表示されるレイアウトの条件は前述の基本条件のみである。これは糖尿病に関する経過観察では、観察時点における血糖値などの検査結果が重要な指標となり、一般的な経過観察の様に比較対象を遂次必要としないためである。また、比較対象となる時系列の異なる検査結果が必要な場合においても、比較対象が多いため、サマリーとして１の資料にまとめられているものを使用するため、比較対象要の資料領域を設ける必要がないためである。
【００９３】
例えば、糖尿病の経過観察において重要な血糖値の検査は、毎日〜１回／月の頻度で実施されるため、その結果はサマリーとしてまとめてあるものを参照することが望ましい。糖尿病の経過観察に必要な資料としては、主に次の検査結果である。例えば、血糖検査、ＨｂＡ１ｃ（ヘモグロビンＡ１ｃ）、血液生化学検査（腎機能・肝機能）、血液一般検査（赤血球・白血球など）・尿検査、コレステロール・中性脂肪、心電図検査、眼底検査、胸部Ｘ線検査、等がある。
【００９４】
並び替え条件としては、すべての資料領域に対して、キー「日付」、順序「昇順」が選択項目としてプリセットされた状態となる。また、即時処理の有効・無効の選択項目に対して、有効がプリセットされた状態となる。これは、カンファレンスの目的が経過観察であるため、表示する資料を探索する際には時系列に並べ替えておくことが便利であり、その様なユースケースで使用する頻度が多いため即時実行することが有効であるためである。
【００９５】
絞り込み条件としては、すべての領域に対して、カテゴリの選択項目については各領域に初期表示する資料と同じ資料種別がプリセットされた状態となる。これは、テーブル領域１１０１で特定の資料種別が指定された場合は、初期表示された資料がユーザの望むものでなかったとしても、別の日付或いは別の部位に関する該資料種別の資料を参照する可能性が高いからである。
【００９６】
また、テーブル領域１１０１にて「サマリー」の資料種別が選択された資料領域に対しては、クラスの選択項目が血糖検査、資料日付が現在〜過去１カ月の期間、の内容でプリセットされた状態となる。これは、前述の様に、血糖検査は毎日実施されることがあり、少なくとも月に１度の頻度で実施されることから、血糖検査の推移を把握するためにはサマリーが適しているからである。別の観点からの考察では、糖尿病に対する経過観察でサマリーを参照する頻度が最も高いケースが、血糖検査のサマリーを参照することのためである。サマリーの期間の初期値が現在〜過去1カ月の期間となっている根拠は、糖尿病の経過観察では過去一カ月の血糖結果を参考にするためである。
【００９７】
さらに、テーブル領域１１０１にて「ＰＡＣＳ画像」または「検査画像」の資料種別が選択された資料領域に対しては、資料日付が現在〜過去１年の期間、の内容でプリセットされた状態となる。これは、糖尿病における経過観察ではＸ線の検査を１年に１回実施することとなっているためである。検索条件としては、「糖尿病」という特定の疾患名に対して議論しており、「糖尿病」というキーワードに関連する資料が検索対象となる可能性が高い。故に、全ての資料領域に対して初期設定としては「糖尿病」というキーワードがプリセットされた状態となる。
【００９８】
図１４は、支援装置１１０による、図１３に示した医療辞書１３００を利用した初期設定テーブル９００の第１の作成処理を示すフローチャートである。第１の作成処理は、初期設定テーブル９００の「レイアウト」行と、「資料領域毎の初期表示」行に関する設定を行う処理である。Ｓ１４０１において、初期設定部３０５は、指示受付部３０１が初期設定テーブルの第１の作成指示を受け付けたか否かを確認する。ここで、第１の作成指示は、設定対象のカンファレンスに関して、該カンファレンスに紐付けられる初期設定テーブル９００の特定の１列における、「レイアウト」行と、「資料領域毎の初期表示」行の作成を指示する情報である。第１の作成指示は、作成対象のカンファレンスの目的、及び議論対象となる疾患名を含んでいる場合と、含んでいない場合がある。ＣＰＵ２０１は、初期設定テーブル９００の第１の作成指示を受け付けると（Ｓ１４０１でＹｅｓ）、処理をＳ１４０２へ進める。
【００９９】
Ｓ１４０２において、初期設定部３０５は、設定対象のカンファレンスに関するメインエリアテーブル７００を参照する。そして、初期設定部３０５は、第１の作成指示に示されるカンファレンスに対応付けられている、各設定項目に対する選択可能な候補をメインエリアテーブル７００から抽出する。次に、Ｓ１４０３において、初期設定部３０５は、Ｓ１４０２において抽出された、資料領域毎の初期表示に指定できる資料種別と、選択可能なレイアウトのパターンに従い設定画面を作成する。そして、表示制御部３０４は、設定画面を表示する。
【０１００】
次に、Ｓ１４０４において、表示制御部３０４は、指示受付部３０１が資料種別の選択の指示を受け付けた否かを確認する。ＣＰＵ２０１は、指示受付部３０１が選択指示を受け付けた場合には（Ｓ１４０４でＹｅｓ）、処理をＳ１４０５へ進める。ＣＰＵ２０１は、選択指示を受け付けていない場合には（Ｓ１４０４でＮｏ）、処理をＳ１４０６へ進める。Ｓ１４０５において、表示制御部３０４は、選択指示に従い表示を更新する。例えば、ユーザにより、資料領域Ｎｏ．「１」に初期表示するものとして、ＰＡＣＳ画像が選択されたとする。この場合、表示制御部３０４は、初期設定部３０５が医療辞書１３００に設定されている「レイアウトの強調表示の対象」に記載の条件を抽出し、抽出した条件を満たすレイアウトのパターンを強調表示する。
【０１０１】
Ｓ１４０６において、表示制御部３０４は、指示受付部３０１がレイアウトの選択の指示を受け付けた否かを確認する。ＣＰＵ２０１は、選択指示を受け付けた場合には（Ｓ１４０６でＹｅｓ）、処理をＳ１４０７へ進める。ＣＰＵ２０１は、選択指示を受け付けなかった場合には（Ｓ１４０６でＮｏ）、処理をＳ１４０８へ進める。Ｓ１４０７において、表示制御部３０４は、選択指示に従い表示を更新する。例えば、ユーザがレイアウト候補領域１１０２に列挙されているパターン６０１のレイアウトを選択したとする。この場合、表示制御部３０４は、選択レイアウト領域１１０３にパターン６０１のレイアウトを表示する。
【０１０２】
次に、Ｓ１４０８において、表示制御部３０４は、指示受付部３０１が設定作業の完了指示を受け付けたか否かを確認する。ＣＰＵ２０１は、指示受付部３０１が完了指示を受け付けた場合には（Ｓ１４０８でＹｅｓ）、第１の設定処理を終了する。ＣＰＵ２０１は、完了指示を受け付けなかった場合には（Ｓ１４０８でＮｏ）、処理をＳ１４０４へ進める。
【０１０３】
図１５は、支援装置１１０による、図１３に示した医療辞書１３００を利用した初期設定テーブル９００の第２の作成処理を示すフローチャートである。第２の作成処理は、初期設定テーブル９００の「処理条件」行と、「領域指定時の即時処理」行に関する設定を行う処理である。Ｓ１５０１において、初期設定部３０５は、指示受付部３０１が作成指示を受け付けたか否かを確認する。ここで、第２の作成指示は、設定対象のカンファレンスに関して、該カンファレンスに紐付けられる初期設定テーブル９００の特定の１列における、「処理条件」行、「領域指定時の即時処理」行の作成を指示する情報である。第２の作成指示は、作成対象のカンファレンスの目的と、議論対象となる疾患名と、を含んでいる場合と、含んでいない場合がある。また、第２の作成指示には、どの探索方法に関する初期設定を行うのかの情報が含まれる。
【０１０４】
ＣＰＵ２０１は、指示受付部３０１が作成指示を受け付けると（Ｓ１５０１でＹｅｓ）、処理をＳ１５０２へ進める。Ｓ１５０２において、初期設定部３０５は、設定対象のカンファレンスに関するテーブル７００、８００、８１０、８２０を参照する。そして、初期設定部３０５は、第２の作成指示に示されるカンファレンスに対応付けられている、各設定項目に対する選択可能な候補をテーブル７００、８００、８１０、８２０から抽出する。
【０１０５】
次に、Ｓ１５０３において、初期設定部３０５は、医療辞書１３００を参照し、Ｓ１５０１で指定された設定対象の探索方法の列に記載の初期処理条件を抽出する。次に、Ｓ１５０４において、表示制御部３０４は、Ｓ１５０２において抽出された各設定項目に対する選択可能な候補に従い、設定画面を作成し、設定画面を表示する。このとき、表示制御部３０４は、Ｓ１５０３において抽出した初期処理条件を、作成した設定画面の初期処理条件として適用する。
【０１０６】
次に、Ｓ１５０５において、表示制御部３０４は、指示受付部３０１が初期処理条件の選択の指示を受け付けた否かを確認する。ＣＰＵ２０１は、指示受付部３０１が選択指示を受け付けた場合には（Ｓ１５０５でＹｅｓ）、処理をＳ１５０６へ進める。ＣＰＵ２０１は、選択指示を受け付けなった場合には（Ｓ１５０５でＮｏ）、処理をＳ１５０７へ進める。Ｓ１５０６において、表示制御部３０４は、選択指示に従い表示を更新する。例えば、Ｓ１５０４で作成された画面が並び替え条件に関する設定画面であり、その初期処理条件として、「順序」の項目が「昇順」に初期設定されていたとする。この場合においても、Ｓ１５０６で該項目の条件を「降順」に指定し直すことも可能である。
【０１０７】
次に、Ｓ１５０７において、表示制御部３０４は、指示受付部３０１が設定作業の完了指示を受け付けたか否かを確認する。ＣＰＵ２０１は、指示受付部３０１が完了指示を受け付けた場合には（Ｓ１５０７でＹｅｓ）、第２の設定処理を終了すする。ＣＰＵ２０１は、完了指示を受け付けなかった場合には（Ｓ１５０７でＮｏ）、処理をＳ１５０５へ進める。
【０１０８】
次に、初期設定テーブル９００において定義された資料領域に表示する資料種別の設定を、カンファレンス実施中に複製する処理について説明する。図１６は、複製処理の説明図であり、ある患者に関するカンファレンス画面５００のメインエリア５１０を示している。なお、該カンファレンスに関する初期設定テーブル９００には、レイアウトの初期設定が図６に記載のパターン６０２と定義されているとする。また、該カンファレンスに関する初期設定テーブル９００には、メインエリア５１０の資料領域１には検体検査結果、資料領域２には血液検査結果が初期表示されるように定義されているとする。
【０１０９】
図１６（ａ）は、カンファレンス画面５００の開始時におけるメインエリア５１０である。初期設定テーブル９００に従い、パターン６０２の資料領域１及び資料領域２には、それぞれ検体検査結果と血液検査結果が表示されている。ここで表示される資料は、議論対象の患者に対して実施された直近の検査の結果であり、図１６（ａ）の例では、２０１６／２／１８と２０１６／２／２６の検査結果である。
【０１１０】
図１６（ｂ）は、メインエリア５１０の表示が図１６（ａ）である際に、次に示す２つの操作を実施することで得られるメインエリア５１０の表示内容を示している。１つ目の操作は、レイアウトをパターン６０２からパターン６０４に変更する操作である。より具体的には、レイアウトボタン５１１を押した際に表示されるレイアウトの候補から、図６に記載のパターン６０４を選択する操作である。２つ目の操作はパターン６０４のメインエリア５１０において、資料領域３に２０１６／２／１８よりも過去の検体検査結果を表示する操作である。より具体的には、ユーザが資料領域３を選択した上で、一覧エリア５２０から２０１５／８／５の検体検査結果に対応するサムネイルを選択する操作である。
【０１１１】
１つ目の操作で画面レイアウトがパターン６０２からパターン６０４に切り替わる。その際に、図１６（ａ）の状態で表示されていた検体検査結果及び血液検査結果は図１６（ｂ）のパターン６０４においても資料領域１及び資料領域２に表示されたままとなるように、表示制御部３０４が表示部２０５を制御する。２つ目の操作で資料領域３に２０１５／８／５の検体検査結果を表示した際には、表示制御部３０４が資料領域３に表示された検体検査結果の検査日である２０１５／８／５付近の血液検査結果を一覧エリア５２０から探索する。該当する血液検査結果の資料が存在した場合は、その資料を資料領域４に即座に表示する。図１６（ｂ）の例では、資料領域４には２０１５／８／１２の血液検査結果が表示されている。なお、資料領域４に表示される血液検査結果の検査日は、資料領域１と資料領域２に表示された検査結果の検査日の時系列的関係と、資料領域１と資料領域３に表示された検査結果の時系列的関係を考慮して決定される。
【０１１２】
上述のように、１つ目の操作と２つ目の操作をユーザが実施することにより、図１６（ａ）における資料領域１資料領域２に表示されていた資料の種別の組み合わせが、図１６（ｂ）の資料領域３と資料領域４に複製されたこととなる。表示される資料の種別の組み合わせを上述の方法で複製することで、ユーザがカンファレンス中に実施する資料の表示に係る操作を効率化することができる。更に、時系列的な関係を考慮して複製処理を行うことで、ユーザの資料の取り違えを防止することができる。
【０１１３】
図１６（ａ）では参照していた２つの検査結果が、互いにほぼ同時期に行われた検査である。それゆえに、例えば過去の検査結果と比較を行うために、複製処理を実施した際にも、複製処理によって表示された２つの資料も互いにほぼ同時期に行われた検査であることが望まれる。
【０１１４】
本実施形態においては、支援装置１１０は、複製処理をカンファレンス画面５００開始時に表示されていた資料に基づいて実施するものとするが、他の例としては、カンファレンスの任意の時点において表示されていた資料に基づいて実施することとしてもよい。例えば、図１６（ａ）の状態から、資料領域２に表示する資料を検査日が２０１５／１０／１５の血液検査結果に変更した上で上述の１つ目の操作と２つ目の操作を実施するとする。その場合においては、資料領域４に表示される資料の検査日は、２０１６／２／１８の検体検査結果と２０１６／２／２６の血液検査結果の時系列的関係に基づいて決定されることはない。代わりに、２０１６／２／１８の検体検査結果と２０１５／１０／１５の血液検査結果の時系列的関係に基づいて決定される。
【０１１５】
複製処理は、種別が等しく、かつ付与された日時が異なる資料を隣接する資料領域に表示するよう制御する処理の一例である。また、複製処理は、種別が異なり、かつ付与された日時が対応する資料を隣接する資料領域に表示するよう制御する処理の一例である。なお、対応する日時とは、同一日時や、日時の差が一定範囲内となるような日時など、同時期の日時として扱うことのできる日時である。
【０１１６】
以上のように、支援装置１１０は、カンファレンスの目的により適した表示画面を表示することができる。
【０１１７】
支援システム１００の他の例としては、支援装置１１０が有する機能を複数の装置が協働して実現してもよい。例えば、図２に示す各部のうち表示制御部３０４をクライアント装置（不図示）が有し、表示制御部３０４以外の各部をサーバ装置（不図示）が有することとしてもよい。サーバ装置は、クライアント装置から要求があった際に、カンファレンスで必要となる医療情報をサーバ群１２０から取得し、表示制御部３０４が必要とする設定データと共にクライアント装置に提供する。クライアント装置は、受信した情報を基にカンファレンスの進行に必要な情報を自身の出力デバイスに出力する。なお、この場合、支援システムは、複数台のクライアント装置を有してもよい。
【０１１８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【０１１９】
＜その他の実施形態＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インターフェース機器、撮像装置、ｗｅｂアプリケーション等）から構成されるシステムに適用してもよいし、また、一つの機器からなる装置に適用してもよい。
【０１２０】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータまたはＣＰＵやＭＰＵ(Ｍｉｃｒｏ  Ｐｒｏｃｅｓｓｉｎｇ  Ｕｎｉｔ)が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【０１２１】
１００  支援システム
１１０  支援装置
３０４  表示制御部
３０５  初期設定部
【図１】
2018013868.tif 000003
【図２】
2018013868.tif 000004
【図３】
2018013868.tif 000005
【図４】
2018013868.tif 000006
【図５】
2018013868.tif 000007
【図６】
2018013868.tif 000008
【図７】
2018013868.tif 000009
【図８】
2018013868.tif 000010
【図９】
2018013868.tif 000011
【図１０】
2018013868.tif 000012
【図１１】
2018013868.tif 000013
【図１２】
2018013868.tif 000014
【図１３】
2018013868.tif 000015
【図１４】
2018013868.tif 000016
【図１５】
2018013868.tif 000017
【図１６】
2018013868.tif 000018